(57)【要約】【課題】  座および背がロッキング可能に支持されたいす用ロッキング装置において、一定の高さの範囲内においてだけ指はさみ防止の効果は有効でしかなく、しかも座の後部をあまり反り上げることができないために、ロッキング量が限られてしまい十分なロッキング量が得られないという問題がある。【解決手段】  支柱上に設けた座受金具に支持された座ロッキング金具の後端に背支持材上カバーの先部を回転可能に連結して一体とし、背支持材上カバーの後部が自由端となって背支持材に移動可能に当接したことを特徴とする。【選択図】        図１
2005074097.tif 000002
【特許請求の範囲】
【請求項１】
座および背がロッキング可能に支持されたいす用ロッキング装置において、
支柱上に設けた座受金具に支持された座ロッキング金具の後端に背支持材上カバーの先部を回転可能に連結して一体とし、背支持材上カバーの後部が自由端となって背支持材に移動可能に当接したことを特徴とするいす用ロッキング装置。
【請求項２】
座および背がロッキング可能に支持されたいす用ロッキング装置において、
背支持材上カバーの後部を背支持材に回転可能に連結して一体とし、背支持材上カバーの先部を支柱上に設けた座受金具に支持された座ロッキング金具の後端に移動可能に係止したことを特徴とするいす用ロッキング装置。
【請求項３】
座および背がロッキング可能に支持されたいす用ロッキング装置において、
背支持材上カバーの後部を背支持材に移動可能に係止し、背支持材上カバーの先部を支柱上に設けた座受金具に支持された座ロッキング金具の後端に移動可能に係止したことを特徴とするいす用ロッキング装置。
【請求項４】
背がロッキング可能に支持されたいす用ロッキング装置において、
支柱上に設けた座受金具の後端に背支持材上カバーの先部を回転可能に連結して一体とし、背支持材上カバーの後部が自由端となって背支持材に移動可能に当接したことを特徴とするいす用ロッキング装置。
【請求項５】
背がロッキング可能に支持されたいす用ロッキング装置において、
背支持材上カバーの後部を背支持材に回転可能に連結して一体とし、背支持材上カバーの先部を支柱上に設けた座受金具の後端に移動可能に係止したことを特徴とするいす用ロッキング装置。
【請求項６】
背がロッキング可能に支持されたいす用ロッキング装置において、
背支持材上カバーの後部を背支持材に移動可能に係止し、背支持材上カバーの先部を支柱上に設けた座受金具の後端に移動可能に係止したことを特徴とするいす用ロッキング装置。
【請求項７】
請求項1から請求項５もしくは請求項６において、背支持材が背角度変更可能の背支持材であることを特徴とするいす用ロッキング装置。
【発明の詳細な説明】
【技術分野】
【０００１】
本発明は、事務用いす等のロッキング機構における指はさみの防止構造を有するロッキング装置に関する。
【背景技術】
【０００２】
従来の背ロッキング機能を有するいすの指はさみ防止機構としては、座板支持盤の下側の固定枠に背凭支持基板の先端部を軸支することにより背凭を傾動自在に設けてなる背凭傾動いすにおいて、座板支持盤の後部下面に前記背凭支持基板との対向部分を囲う垂下壁を形成すると共に背凭支持基板を覆うカバーの上面に起立壁を前記垂下壁の内側にて略隙間なく相対するように形成した技術がある。（例えば、特許文献１参照。）。
【特許文献１】特開平１０−１２７４０３号公報
【発明の開示】
【発明が解決しようとする課題】
【０００３】
しかしながら、上述した従来の技術においては、座の後部に構成した垂下壁と起立壁の高さの範囲内においてだけ指はさみ防止の効果は有効であり、座の後部をあまり反り上げることができないために、ロッキング量が限られてしまい十分なロッキング量が得られないという問題がある。
また、ロッキング機能が背ロッキングだけのいすにおいては有効であるが、座もロッキングできるいすにおいては、座ロッキングと背ロッキングを共に作動させると、背凭支持基板を覆うカバーの端部と垂下壁の下端との間に隙間が生じてしまい、そこに指を入れてしまうおそれがあるという問題がある。
【０００４】
本発明は、上記の問題点を解決するためになされたもので、十分な背ロッキングのロッキング量が得られるようにすると共に座ロッキングと背ロッキングを共に作動させることができるいすおよび背のみがロッキングするいすにおいて、指をはさむことのない手段を提供することを目的とする。
【課題を解決するための手段】
【０００５】
本発明は、上記課題を解決するために、座および背がロッキング可能に支持されたいす用ロッキング装置において、支柱上に設けた座受金具に支持された座ロッキング金具の後端に背支持材上カバーの先部を回転可能に連結して一体とし、背支持材上カバーの後部が自由端となって背支持材に移動可能に当接したことを特徴とする。
また、座および背がロッキング可能に支持されたいす用ロッキング装置において、背支持材上カバーの後部を背支持材に回転可能に連結して一体とし、背支持材上カバーの先部を支柱上に設けた座受金具に支持された座ロッキング金具の後端に移動可能に係止したことを特徴とする。
【０００６】
さらに、座および背がロッキング可能に支持されたいす用ロッキング装置において、背支持材上カバーの後部を背支持材に移動可能に係止し、背支持材上カバーの先部を支柱上に設けた座受金具に支持された座ロッキング金具の後端に移動可能に係止したことを特徴とする。
さらに、座がロッキングしない構造のいすであっても、支柱上に設けた座受金具の後端に、上記座ロッキング金具における各構造を設けることによって背支持材上カバーを移動可能に係止することにより所期の目的を達成することができる。
【発明の効果】
【０００７】
これにより、本発明は、指はさみ防止構造があっても背ロッキングのロッキング量を十分に得ることができる効果を有する。
また、背のロッキングのみの使用または座のロッキングのみの使用さらには座のロッキングと背のロッキングの同時の使用が可能ないすにおいて、背支持材上カバーは、座ロッキング金具およびもしくは背支持材の動きに伴って移動して座ロッキング金具もしくは座受金具と背支持材との間に形成される隙間をふさいで隙間を開放することがなく、これによって指の進入を防ぐことができるという効果が得られる。
【発明を実施するための最良の形態】
【０００８】
以下に、本発明の実施例を図面を用いて以下に説明する。
【実施例１】
【０００９】
図１は全体説明図、図２は分解説明図、図３は可動座受部材の前傾動作の説明図、図４は可動背受部材の後傾動作の説明図である。
図において、１は図示しない下部の脚と上部の座を連結する支柱となるガススプリングである。
このガススプリング１の上部には座受カバー３が取り付けてあり、ガススプリング１の上部を座受金具４に接続すると共にこの座受カバー３でその座受金具４との接続部を覆う。ガススプリング１はガスレバー２により上下の調整が行われ、座の高さを決める。
【００１０】
この座受金具４に対して座受シャフト５を介して座ロッキング金具６が回動可能に取り付けてあり、この座ロッキング金具６に座７が取り付けてある。
なお、上記座受シャフト５は、本実施の形態例ではガススプリング１の中心線上に位置させているが、それより前方寄りに位置させてもよい。
８は座ロッキング金具６の前部下面に取り付けた前傾クッションであり、この前傾クッション８が、ロッキング時に座ロッキング金具６が前方に傾斜したときに座受金具４の前部上面に当接して当接のショックをやわらげ、当接音の発生も防ぐ。
【００１１】
さらに、座受金具４の後部上面に取り付けた連結ブリッジ９には合成樹脂製の当たり止め１０が取り付けてあり、ロッキング時に座ロッキング金具６が後方に傾いたときに連結ブリッジ９に当接するときの当接音の発生を防ぐ。
１１は背支持材であり、上部に背取り付け金具１２を介して背１３と背カバー１４が取り付けられ、下端には背ロッキング金具１５が取り付けてある。
【００１２】
この背ロッキング金具１５の端部には上記座受シャフト５に回動可能に係止するように係止部１６が形成されている。
１７、１８はそれぞれ当たり止めであり、当たり止め１７は背支持材１１のロッキング時に座受金具４に背ロッキング金具１５が当接するときの当接音の発生を防ぎ、当たり止め１８は背支持材１１のロッキングの戻り時に背支持材１１が連結ブリッジ９に当接するときの当接音の発生を防ぐ。
【００１３】
１９はロッキングボルトである。このロッキングボルト１９を、上記座受金具４、座ロッキング金具６および背支持材１１に取り付けた背ロッキング金具１５のそれぞれ端部に設けた前後方向に長孔状の通孔２０、２１および２２に座ロッキング金具６側から通し、その頭１９ａで座ロッキング金具６の通孔２１から抜けないようにしてある。
さらに、そのロッキングボルト１９の下方から合成樹脂製のばね受け材２３、ロッキングばね２４、ばね受けワッシャ２５およびロッキングハンドル２６を嵌め、係止ねじ２７で全一体に係止する。これによって、ロッキングばね２４の上端はばね受け材２３を介して背支持材１１に取り付けた背ロッキング金具１５の下面に当接する。２８はロッキングハンドル２６の抜け止めねじであり、ロッキングボルト１９の下端に螺合する。
【００１４】
このロッキングばね２４の上端が背ロッキング金具１５の下面に当接している状態は、図示する如く、背支持材１１に取り付けた背ロッキング金具１５にロッキングばね２４の上端が当接する付近は背支持材１１が後方に向けて多少上方に向けて上がるように傾斜させてあり、その傾斜角度だけロッキングばね２４は下端が後方に傾くように設置されている。
【００１５】
これによって、背ロッキングを作動させて背支持材１１が座受シャフト５を中心にして円弧運動をしてロッキングばね２４（ロッキングハンドル）がガススプリング１に近付いても当接してしまうことがない。したがって、ロッキングばね２４の長さを充分に設定することができ、たっぷりしたロッキング量が得られることになる。
さらに、ロッキングボルト１９の取り付け位置を、座受金具４および座ロッキング金具６のそれぞれ後部にして座受シャフト５から充分の距離を離すことにより、これによっても、円弧運動をしてロッキングばね２４（ロッキングハンドル）がガススプリング１に近付いても当接してしまうことがなく、ロッキングばね２４の長さを充分に設定することができることになり、なめらかでしかもたっぷりしたロッキング感が得られることになる。
【００１６】
なお、上記背支持材１１の傾斜を、図示する如く、背支持材１１を座７の下部で曲げて傾斜させないで水平状態とした場合には、ばね受け材２３を楔状の傾斜のある形状にして背支持材１１に後方に向けて傾斜するように取り付け、その傾斜によってロッキングばね２４の下端が後方に傾くように取り付ける。
なお、ロッキングハンドル２６は、ロッキングばね２４のカバーも兼ねるように深くしてある。
【００１７】
上記ロッキングハンドル２６を回転させることにより、ばねの長さを変化させて発力を調節することができ、それにより座ロッキングおよび背ロッキングのロッキング具合を調節する。
２９は上記座７に下方から取り付けて座ロッキング金具６を覆う座カバーであり、上記背支持材１１がロッキングするときに邪魔にならないように開口３０があけてあり、そこからロッキングハンドル２６やガスレバー２を突出させる。３１は背支持材１１の基部の下部を覆う背支持材下カバーであり、ばね受け材２３に係止しており、上記開口３０内に納まっている。
【００１８】
３２は背支持材１１の基部の上部を覆う背支持材上カバーであり、その先部を座ロッキング金具６の後端に回動可能な取り付け構造とし、後部は自由端とし、常に背支持材１１面に接触した当接状態の移動可能な構造となっている。
この背支持材上カバー３２の先部の座ロッキング金具６の後端への回動可能な取り付け構造と背支持材上カバー３２の後部の背支持材１１との移動可能構造を以下に説明する。
【００１９】
図５は、要部を後方から見た解体斜視図であり、座ロッキング金具６の後端に係止部３３を形成し、該係止部３３の両側に係止孔３４を設ける。
さらに、上記背支持材上カバー３２の先部の両側に内側に向けて回転軸３５を設け、該回転軸３５を上記座ロッキング金具６の係止孔３４に背支持材上カバー３２の弾性を利用して回転可能に嵌めて一体とする。これによって、背支持材上カバー３２は座ロッキング金具６に先端が支持され、後端部は背支持材１１の上面に当接して移動可能な状態になっている。
【００２０】
なお、上記の説明では係止孔３４に背支持材上カバー３２に設けた回転軸３５を嵌めて一体としたが、図６に示すごとく、背支持材上カバー３２の先部両側に座ロッキング金具６の係止孔３４に見合う係止孔３６をあけておき、両係止孔３４，３６を合わせてねじやピン等の係止具３７で回転可能に支持しても同様である。
また、図７に示すごとく、座ロッキング金具６の後端と背支持材上カバー３２の先部とにそれぞれ引っ掛け用の係止部３８，３９を形成しておき、その係止部３８，３９を互いに引っ掛けて回転可能に係止した構造でもよい。
【００２１】
さらには、図示しないが座ロッキング金具６の後端と背支持材上カバー３２の先部とを蝶番状に合わせて軸で回転可能に軸によって支持してもよい。
以上種々述べたが、要するに座ロッキング金具６の後端に背支持材上カバー３２の先部が回転可能に連結されて一体となり、背支持材上カバー３２の後部が自由端となって背支持材１１に当接して移動可能な状態の構造であればどのような構造でもよい。
【００２２】
なお、上記本実施の形態例では肘を付けていないが、肘を付ける場合には座ロッキング金具に肘受け金具を取り付け、その肘受け金具の両側に左右の肘を取り付ければよい。
以上の構成によるロッキング装置の作用を以下に説明する。
本発明のロッキングには座のロッキングと背のロッキングの二つのロッキング作用がある。
【００２３】
まず、座のロッキングを図を用いて説明する。座７に座って座７の前部に体重をかけると、座７を取り付けた座ロッキング金具６が図３に鎖線で示す如く、座受シャフト５を支点として回動する。その回動によってロッキングボルト１９を引き上げ、それによってロッキングハンドル２６を介してロッキングばね２４を下方から上方に圧縮することになり、体重のかかる度合いに応じたロッキングばね２４の圧縮量となり、これによって発力のきいたロッキング作用が得られる。
【００２４】
そこで、図８の通常状態から図９のロッキング状態に変わる。このロッキングによって座ロッキング金具６は前方が下がり後方が上がることになるが、その際に、背支持材上カバー３２の先部は回転支点で回動しながら座ロッキング金具６と共に移動し、背支持材上カバー３２の後部は、背支持材１１との移動可能構造によって背支持材１１の上面をずれながら移動して座ロッキング金具６との間に隙間を形成することがなく、これによって指の進入を防ぐことができる。なお、図８および以下の図９、図１０、図１４、図１５、図１６における背支持材１１の取り付け構造が図１のものと異なるが、異なる取り付け構造のタイプのものを例示的に示したものであり、どのような構造においても適応が可能なものである。
【００２５】
つぎに、背のロッキングは、座７に座って背中を背１３にもたれかけると、図４に鎖線で示す如く、背支持材１１は背ロッキング金具１５が係止部１６によって座受シャフト５を支点として回動する。その回動によって支持されているロッキングばね２４を上方から下方に押し付けて圧縮することになり、これによって発力のきいたロッキング作用が得られる。
【００２６】
この際、図８の通常状態から図１０のロッキング状態に変わる。背支持材１１が下がるると、背支持材上カバー３２の先部は回転支点で回動し、背支持材上カバー３２の後部は移動可能構造である自由端が背支持材１１上面に当接しているために背支持材１１の動きに伴ってずれながら移動して座ロッキング金具６との間に隙間を形成することがなく、これによって指の進入を防ぐことができる。
【００２７】
なお、以上の説明は説明の都合上、座のロッキングと背のロッキングを別々に説明を行ったが、使用に際しては、上記の両ロッキング作用は同時に行われる場合があり、例えば身体を伸ばして座と背にもたれ掛かることにより座と背は同時にロッキングできるが、その際にも背支持材上カバー３２は、座ロッキング金具６および背支持材１１の動きに伴って移動して座ロッキング金具６と背支持材１１との間に隙間を形成することがなく、これによって指の進入を防ぐことができる。
【実施例２】
【００２８】
つぎに実施例２を説明する。説明にあたっては背支持材１１の基部の上部を覆う背支持材上カバーの取り付け構造である要部以外の構成は上記実施例１と同様であるので説明は省略する。
背支持材１１の基部の上部を覆う背支持材上カバー３２の後端を、背支持材１１に回動可能に取り付け、先部を座ロッキング金具６の後端に移動可能に係止して、常に座ロッキング金具６および背支持材１１の動きと連動するようになっている。
【００２９】
この背支持材上カバー３２の背支持材１１への回動可能な取り付け構造と座ロッキング金具６への移動可能な係止構造を以下に説明する。
図１１は、要部を後方から見た要部分解説明図であり、背支持材１１の両側にそれぞれ係止孔４０を形成する。また、背支持材上カバー３２の後端の両側に内側に向けて回転軸４２を設け、該回転軸４２を上記背支持材１１の係止孔４０に背支持材上カバー３２の弾性を利用して回転可能に嵌めて一体とする。
【００３０】
さらに、上記背支持材上カバー３２の先部の両側に内側に向けて回転軸４１を設け、該回転軸４１を座ロッキング金具６の後部両側に形成した長孔４３に背支持材上カバー３２の弾性を利用して移動可能に嵌めて一体とする。これによって、背支持材上カバー３２は座ロッキング金具６に先端が移動可能に支持され、後端部は背支持材１１に回動可能に支持された状態になっている。
【００３１】
なお、上記構成では、座ロッキング金具６の後部両側に長孔４３を形成したが、そのような構成でなく、背支持材上カバー３２の先部に図１２に示す如く、舌片４４を形成し、その舌片４４を座ロッキング金具６の後部上面に載せて移動可能に設置した構造でもよい。
さらに、背支持材上カバー３２の後端の背支持材１１への回転可能の取り付け構造も上記のような回転軸４２による係止でなくてもよく、図１３に示す如く、背支持材上カバー３２の後端に下方に向けて断面形状が円弧状の係止部４５を形成し、背支持材１１にその係止部４５を回動可能に嵌めるスリット４６を形成して係止部４５を嵌めることによって回動構造としてもよい。
【００３２】
以上種々述べたが、要するに背支持材上カバー３２の後部が背支持材１１に回転可能に連結されて一体となり、背支持材上カバー３２の先部が座ロッキング金具６の後端に移動可能に係止した構造であればどのような構造でもよい。
以上の構成によるロッキング装置の作用を以下に説明する。
本発明のロッキングには座のロッキングと背のロッキングの二つのロッキング作用がある。
【００３３】
まず、座のロッキングは、座７に座って座７の前部に体重をかけると、座７を取り付けた座ロッキング金具６が図３に鎖線で示す如く、座受シャフト５を支点として回動する。
その回動によってロッキングボルト１９を引き上げ、それによってロッキングハンドル２６を介してロッキングばね２４を下方から上方に圧縮することになり、体重のかかる度合いに応じたロッキングばね２４の圧縮量となり、これによって発力のきいたロッキング作用が得られる。
【００３４】
そこで、図１４の通常状態から図１５のロッキング状態に変わり、このロッキングによって座ロッキング金具６は前方が下がり後方が上がることになる。その際に、背支持材上カバー３２の先部は座ロッキング金具６の移動に対してその移動可能構造のずれによって対応し、後部は背支持材に回転可能構造で支持されており、それによって回動し、座ロッキング金具６との間に隙間が形成されることがなく、これによって指の進入を防ぐことができる。
【００３５】
つぎに、背のロッキングは、座７に座って背中を背１３にもたれかかると、図４に鎖線で示す如く、背支持材１１は背ロッキング金具１５が係止部１６によって座受シャフト５を支点として回動する。その回動によって支持されているロッキングばね２４を上方から下方に押し付けて圧縮することになり、これによって発力のきいたロッキング作用が得られる。
【００３６】
この際、図１４の通常状態から図１６のロッキング状態に変わる。つまり、背支持材１１が下がり、背支持材上カバー３２の後部はそれに伴って回転支点で回動しながら共に下がり、背支持材上カバー３２の先部は移動可能構造によるずれで対応して座ロッキング金具６の後端に沿って移動することになり、座ロッキング金具６との間に隙間が形成されることがなく、これによって指の進入を防ぐことができる。
【００３７】
なお、以上の説明は説明の都合上、座のロッキングと背のロッキングを別々に説明を行ったが、使用に際しては、上記の両ロッキング作用は同時に行われる場合があり、例えば身体を伸ばして座と背にもたれ掛かることにより座と背は同時にロッキングできるが、その際にも背支持材上カバー３２は、座ロッキング金具６および背支持材１１の動きに伴って移動して座ロッキング金具６と背支持材１１との間に形成される隙間をふさいで隙間を開放することがなく、これによって指の進入を防ぐことができる。
【実施例３】
【００３８】
つぎに実施例３を説明する。説明にあたっては背支持材１１の基部の上部を覆う背支持材上カバーの取り付け構造である要部以外の構成は上記各実施例と同様であるので説明は省略する。
上記各実施例においては、背支持材１１の基部の上部を覆う背支持材上カバー３２は、その先部を座ロッキング金具６の後端に回動可能に取り付け、後端を背支持材１１に移動可能に係止して、常に座ロッキング金具６および背支持材１１の動きと連動するようになっているか、または、背支持材上カバー３２は、その後端が背支持材１１に回動可能に取り付けられ、先部を座ロッキング金具６の後端に移動可能に係止して、常に座ロッキング金具６および背支持材１１の動きと連動するようになっている。
【００３９】
本実施例は、図示して説明はしないが、上記各実施例における各回動可能の取り付け構造を、移動可能の係止の構造としたものである。つまり、背支持材上カバー３２の先部を座ロッキング金具６の後端に上記で説明した回転軸と長孔による係止等による任意の回転可能な構造を移動可能な構造とし、後端も同様に背支持材１１に上記で説明した当接状態等による任意の構造の移動可能な構造としたものである。
【００４０】
このような構成にしても、座ロッキングを作用させたときの座ロッキング金具６の動きおよび背ロッキングを作用させたときの背支持材１１の動きに伴って背支持材上カバー３２は移動して座ロッキング金具６と背支持材１１との間に隙間を形成することがなく、これによって指の進入を防ぐことができる。
なお、上記各実施例は、座ロッキングが可能な構造で説明をしたが、必ずしも座ロッキングが可能なものでなく座固定の構造でもよく、その場合には座ロッキング金具は必要ではないために、座は座受金具に直接取り付けられる。したがって、この場合には、上記の構成における背支持材上カバーの先部は、座受金具が上記の座ロッキング金具に設けたと同様の構造を有することになる。つまり、座受金具の後部に係止孔３４、係止部３８、長孔４３等が形成されることになる。
【００４１】
また、上記各実施例において背支持材が、ロッキング作用をせずに例えばガススプリング等によって背の角度が変えられる背支持材としたものがあるが、そのような場合にも上記の構造によって対応することができる。
【図面の簡単な説明】
【００４２】
【図１】全体説明図
【図２】分解説明図
【図３】座ロッキングの動作の説明図
【図４】背ロッキングの動作の説明図
【図５】実施例１を示す要部分解説明図
【図６】実施例１の他の形態の要部分解説明図
【図７】実施例１の他の形態の要部分解説明図
【図８】実施例１の通常状態の要部説明図
【図９】実施例１の座ロッキング状態の要部説明図
【図１０】実施例１の背ロッキング状態の要部説明図
【図１１】実施例２を示す要部分解説明図
【図１２】実施例２の他の形態の要部分解説明図
【図１３】実施例２の他の形態の要部分解説明図
【図１４】実施例２の通常状態の要部説明図
【図１５】実施例２の座ロッキング状態の要部説明図
【図１６】実施例２の背ロッキング状態の要部説明図
【符号の説明】
【００４３】
１  ガススプリング
２  ガスレバー
３  座受カバー
４  座受金具
５  座受シャフト
６  座ロッキング金具
７  座
８  前傾クッション
９  連結ブリッジ
１０  当たり止め
１１  背支持材
１２  背取り付け金具
１３  背
１４  背カバー
１５  背ロッキング金具
１６  係止部
１７、１８  当たり止め
１９  ロッキングボルト
２０、２１、２２  通孔
２３  ばね受け材
２４  ロッキングばね
２５  ばね受けワッシャ
２６  ロッキングハンドル
２７  係止ねじ
２８  抜け止めねじ
２９  座カバー
３０  開口
３１  背支持材下カバー
３２  背支持材上カバー
３３  係止部
３４  係止孔
３５  回転軸
３６  係止孔
３７  係止具
３８、３９  係止部
４０  係止孔
４１  回転軸
４２  回転軸
４３  長孔
４４  舌片
４５  係止部
４６  スリット
【図１】
2005074097.tif 000003
【図２】
2005074097.tif 000004
【図３】
2005074097.tif 000005
【図４】
2005074097.tif 000006
【図５】
2005074097.tif 000007
【図６】
2005074097.tif 000008
【図７】
2005074097.tif 000009
【図８】
2005074097.tif 000010
【図９】
2005074097.tif 000011
【図１０】
2005074097.tif 000012
【図１１】
2005074097.tif 000013
【図１２】
2005074097.tif 000014
【図１３】
2005074097.tif 000015
【図１４】
2005074097.tif 000016
【図１５】
2005074097.tif 000017
【図１６】
2005074097.tif 000018